(57)【要約】【課題】  帽子に対する着脱を容易に行うことを可能にした帽子用インナーウエアを提供する。【解決手段】  人の頭部を覆うように縫製された布帛体１からなる帽子用インナーウエア１０において、布帛体１を横切るように延長すると共に可撓性を有する係合部材２を布帛体１に付設し、係合部材２の両端部を布帛体１の両側から突出させる。【選択図】  図１
2014114518.tif 000002
【特許請求の範囲】
【請求項１】
人の頭部を覆うように縫製された布帛体からなる帽子用インナーウエアであって、前記布帛体を横切るように延長すると共に可撓性を有する係合部材を前記布帛体に付設し、前記係合部材の両端部を前記布帛体の両側から突出させたことを特徴とする帽子用インナーウエア。
【請求項２】
前記係合部材を環状に加工された弾性モノフィラメントから構成したことを特徴とする請求項１に記載の帽子用インナーウエア。
【請求項３】
前記係合部材を弾性フィルムから構成したことを特徴とする請求項１に記載の帽子用インナーウエア。
【請求項４】
前記布帛体の外縁に沿って弾性モノフィラメントからなる保形リングを配設したことを特徴とする請求項１〜３のいずれかに記載の帽子用インナーウエア。
【請求項５】
前記布帛体が、頭部側に配置された親水布と、該親水布の外側に配置された防水布と、前記親水布と前記防水布との間に挿入された保水層との積層構造を有することを特徴とする請求項１〜４のいずれかに記載の帽子用インナーウエア。
【発明の詳細な説明】
【技術分野】
【０００１】
本発明は、帽子の下に着用するインナーウエアに関し、更に詳しくは、帽子に対する着脱を容易に行うことを可能にした帽子用インナーウエアに関する。
【背景技術】
【０００２】
人の頭部に強い日差しが直接当たるのを回避するための装着具として様々な帽子が普及している。ところが、帽子を被った場合、帽子内で発汗したり、蒸れを感じたりすることがある。そのため、水分を滲み込ませたタオルを頭部と帽子との間に挟み込んだり、帽子を脱いでタオルで汗を拭うことが頻繁に行われている。このような発汗や蒸れを解消するために、一部にメッシュ構造などを採用することで通気性を高めた帽子（例えば、特許文献１〜３参照）が提案されているが、必ずしも十分な清涼感が得られていないのが現状である。また、帽子は型崩れするため、発汗により汚れた場合であっても手軽に洗濯することができないという不都合もある。
【０００３】
そこで、上述のような不都合を解消するために、人の頭部を覆うように縫製された帽子用インナーウエア（例えば、特許文献４参照）が提案されている。このインナーウエアは帽子の下に着用するものであり、汗の吸収効果や水分による冷却効果を発揮し、必要に応じて洗濯することができる。しかしながら、上記インナーウエアは帽子とは別体であるため、例えば、帽子を脱いだ際にインナーウエアだけが頭部に残ってしまうことがある。このような状況において、帽子用インナーウエアは見栄えが悪く使い勝手が悪いという欠点を有している。
【先行技術文献】
【特許文献】
【０００４】
【特許文献１】特開２００５−４２２５８号公報
【特許文献２】特開２００５−２９０５６６号公報
【特許文献３】特開２０１０−１３８５２６号公報
【特許文献４】特開２０１２−１４０７４０号公報
【発明の概要】
【発明が解決しようとする課題】
【０００５】
本発明の目的は、帽子に対する着脱を容易に行うことを可能にした帽子用インナーウエアを提供することにある。
【課題を解決するための手段】
【０００６】
上記目的を達成するための本発明の帽子用インナーウエアは、人の頭部を覆うように縫製された布帛体からなる帽子用インナーウエアであって、前記布帛体を横切るように延長すると共に可撓性を有する係合部材を前記布帛体に付設し、前記係合部材の両端部を前記布帛体の両側から突出させたことを特徴とするものである。
【発明の効果】
【０００７】
本発明の帽子用インナーウエアにおいては、布帛体を横切るように延長すると共に可撓性を有する係合部材を布帛体に付設し、係合部材の両端部を布帛体の両側から突出させているので、その布帛体の両側から突出した係合部材を用いてインナーウエアを帽子に対して簡単に着脱することができる。そのため、帽子を脱いだ際にインナーウエアだけが頭部に残ってしまうような事態を確実に回避することができ、見栄えを悪化させることなく使い勝手が良い帽子用インナーウエアを提供することができる。
【０００８】
係合部材は環状に加工された弾性モノフィラメントから構成することが好ましい。この場合、弾性モノフィラメントからなる係合部材が柔軟に変形することにより、寸法や形状が異なる種々の帽子に対して共通の帽子用インナーウエアを使用することが可能になる。係合部材は弾性フィルムから構成することも可能である。
【０００９】
また、布帛体の外縁に沿って弾性モノフィラメントからなる保形リングを配設することが好ましい。このように布帛体の外縁に沿って保形リングを配置した場合、保形リングと係合部材とが協働してインナーウエアを帽子の内面側に密着させる効果を得ることができる。
【００１０】
本発明の帽子用インナーウエアは、用途が特に限定されるものではなく、その用途に応じて布帛体の構造を適宜選択することができる。
【００１１】
例えば、夏場に使用される帽子用インナーウエアの場合、布帛体を吸水性に優れた素材から構成することにより、布帛体への汗の吸収効果や布帛体に含ませた水分による冷却効果を発揮することが可能である。
【００１２】
この場合、布帛体は、頭部側に配置された親水布と、該親水布の外側に配置された防水布と、これら親水布と防水布との間に挿入された保水層との積層構造を有することが好ましい。これにより、親水布が頭部からの汗を面方向に拡散し、その汗を保水層に効率良く吸収することができ、しかも防水布が存在するため汗を帽子に浸透させることはない。また、予め保水層に水分を滲み込ませるようにした場合、その水分が親水布を介して面方向に拡散し、より広い面積において効果的な冷却作用を発揮することができ、しかも防水布が存在するため水分を帽子に浸透させることはない。そのため、帽子に汗や水分を浸透させることなく、汗の吸収効果や水分による冷却効果を高めることができる。
【００１３】
一方、冬場に使用される帽子用インナーウエアの場合、布帛体を保温性に優れた素材から構成することにより、防寒具としての機能を発揮することができる。
【００１４】
いずれの場合においても、帽子用インナーウエアは帽子の下に着用することを前提とするものであって型崩れを気にする必要がないため、気軽に洗濯することができる。
【図面の簡単な説明】
【００１５】
【図１】本発明の実施形態からなる帽子用インナーウエアを示す平面図である。
【図２】図１の帽子用インナーウエアを示す側面図である。
【図３】図１のＸ−Ｘ矢視断面図である。
【図４】図１の帽子用インナーウエアを帽子に装着した状態を示す斜視図である。
【図５】図１の帽子用インナーウエアを帽子に装着した状態を示す断面図である。
【図６】本発明の他の実施形態からなる帽子用インナーウエアを示す平面図である。
【図７】図６の帽子用インナーウエアを示す側面図である。
【図８】図６のＹ−Ｙ矢視断面図である。
【発明を実施するための形態】
【００１６】
以下、本発明の構成について添付の図面を参照しながら詳細に説明する。図１〜図５は本発明の実施形態からなる帽子用インナーウエアを示すものである。
【００１７】
図１〜図３に示すように、本実施形態の帽子用インナーウエア１０は、人の頭部を覆うように縫製された布帛体１を備え、この布帛体１を帽子の内側に配置した状態で使用されるものである。布帛体１は、平面視で楕円形をなし、頭部にフィットするように僅かに湾曲した碗形状に縫製されている。布帛体１の構造は特に限定されるものではないが、以下のような積層構造を有することが望ましい。
【００１８】
即ち、布帛体１は、図３に示すように、頭部側に配置された親水布１１と、該親水布１１の外側（帽子側）に配置された防水布１２と、これら親水布１１と防水布１２との間に挿入された保水層１３との積層構造を有している。なお、親水布１１は頭部と直接接触するように配置しても良いが、本実施形態では着用者の清涼感を高めるために親水布１１よりも頭部側に更にメッシュ布１４を積層した構造としている。
【００１９】
親水布１１は、織物や編物等からなる布帛に親水加工を施したものである。親水加工としては、一般的な手法を採用することができる。例えば、ポリエチレングリコール、ポリエステル系樹脂、ポリアミド系樹脂、ポリアミン第４級アンモニウム塩等の加工薬剤を用いて布帛の繊維に親水性を付与することができる。また、親水基である酸性基を有するビニル系ポリマーを布帛の繊維にグラフト重合しても良い。酸性基を有するビニル系ポリマーとしては、アクリル酸、メタクリル酸、イタコン酸、アリルスルフォン酸、メタクリルスルフォン酸、スチレンスルフォン酸等の化合物が挙げられるが、これらに限定されるものではない。
【００２０】
防水布１２は、織物や編物等からなる布帛に防水加工を施したものである。防水加工としては、一般的な手法を採用することができる。例えば、防水性や撥水性を有する樹脂で布帛の繊維をコーティングしたり、防水性や撥水性を有する樹脂を布帛に含浸させて熱処理したり、布帛上に防水性や撥水性を有する樹脂からなる防水層を形成することができる。このような樹脂としては、ポリウレタン系樹脂、シリコーン系樹脂、フッ素系樹脂、アクリル系樹脂、ビニル系樹脂等が挙げられるが、これらに限定されるものではない。
【００２１】
保水層１３は、内部に水分を保持する機能を有するものである。この保水層１３としては、不織布、織物、編物、スポンジ等を使用することができるが、特に吸水性を有する不織布を用いると良い。吸水性を有する不織布の繊維としては、架橋アクリル酸ナトリウム系の高吸湿性繊維を用いると良い。具体例としては、例えば、帝人ファイバー株式会社製の「ベルオアシス」（登録商標）が挙げられる。架橋アクリル酸ナトリウム系の高吸湿性繊維は吸水能力が高く、しかも不織布とした場合には自由な膨張が許容されるため優れた保水性を発揮することができる。また、架橋アクリル酸ナトリウム系の高吸湿性繊維は吸湿性や消臭性にも優れている。更に、上述のような不織布は帽子用インナーウエア１０の素材として加工が容易であり、上記積層構造を有する布帛体１の内部に容易に縫い込むことができる。
【００２２】
上記布帛体１には、該布帛体１を横切るように延長すると共に可撓性を有する係合部材２が付設され、その係合部材２の両端部が布帛体１の両側から突出している。本実施形態において、係合部材２は環状に加工された弾性モノフィラメント２１から構成されている。この弾性モノフィラメント２１は防水布１２に形成された複数の開口部１２ａを介して布帛体１の内部に案内され、布帛体１に対して縫い付けられている。つまり、弾性モノフィラメント２１の布帛体１から突き出した部分はループを形成している。弾性モノフィラメント２１は予め環状に成形されたものであっても良く、或いは、線材からなる弾性モノフィラメント２１を環状にして端部同士を繋ぎ合わせたものであっても良い。例えば、線材からなる弾性モノフィラメント２１の端部同士をシリコーン樹脂からなるチューブ２２で繋ぎ合わせた場合、布帛体１を縫製した後で該布帛体１に対して弾性モノフィラメント２１を取り付けることができ、かつ強固な連結構造を確保することができる。この場合、連結用のチューブ２２は係合部材２の布帛体１から突出していない部位（例えば、布帛体１の内部）に配置すると良い。
【００２３】
弾性モノフィラメント２１の直径は、０．５ｍｍ〜４．０ｍｍ、より好ましくは、１．０ｍｍ〜３．５ｍｍの範囲に設定すると良い。弾性モノフィラメント２１の直径を上記範囲に設定することにより、弾性モノフィラメント２１に適切な弾性回復力を与えることができる。
【００２４】
弾性モノフィラメント２１の材料としては、特に限定されるものではないが、ナイロン、ポリエチレン、ポリプロピレン等の弾性を有する合成樹脂を使用することができ、特にナイロンが最適である。これら合成樹脂材料は、弾性を有しながら軽量であるため帽子用インナーウエア１０の重量増加を最小限に抑えることができ、しかも腐食しないため帽子用インナーウエア１０をそのまま洗濯することができる。
【００２５】
更に、布帛体１にはその外縁に沿って弾性モノフィラメント３１からなる保形リング３が縫い込まれている。保形リング３を構成する弾性モノフィラメント３１としては係合部材２を構成する弾性モノフィラメント２１と同様のものを使用することが可能であるが、弾性モノフィラメント３１は帽子に対する係合を担持する弾性モノフィラメント２１よりも細くすることができる。
【００２６】
図４及び図５は上述した帽子用インナーウエア１０を帽子４０に装着した状態を示すものである。図４及び図５において、帽子４０は、頭部を覆うように碗形状に縫製された帽子本体４１と、その帽子本体４１の縁部外側に突き出した鍔部４２と、帽子本体４１の縁部内側に折り返された帯状のすべり４３とを備えている。
【００２７】
帽子用インナーウエア１０を帽子４０に装着する場合、図４及び図５に示すように、帽子用インナーウエア１０の布帛体１を帽子本体４１の内面であって鍔部４２側の部位に当接するように配置し、弾性モノフィラメント２１からなる係合部材２をすべり４３と帽子本体４１との間に挿入する。これにより、帽子用インナーウエア１０を帽子４０に対して容易に装着することができる。また、係合部材２をすべり４３から外すことにより、帽子用インナーウエア１０を帽子４０から容易に離脱させることができる。弾性モノフィラメント２１は前後左右に変形自在であるため、寸法や形状が異なる種々の帽子４０に対して共通の帽子用インナーウエア１０を使用することができる。
【００２８】
また、上記帽子用インナーウエア１０においては、布帛体１の外縁に沿って弾性モノフィラメント３１からなる保形リング３が配設されているので、保形リング３と係合部材２とが協働してインナーウエア１０を帽子４０の内面側に密着させる効果を得ることができる。つまり、布帛体１を横切る係合部材２が布帛体１の外縁に沿って配置された保形リング３を帽子４０側に押圧することにより、布帛体１の中央部分のみならず外縁部分も帽子４０に対して密着するようになる。そのため、布帛体１が汗で湿った状態や水分を含ませた状態において垂れ下がることはない。
【００２９】
上述した帽子用インナーウエア１０において、布帛体１は、頭部に接触するように配置された親水布１１と、該親水布１１の外側に配置された防水布１２と、これら親水布１１と防水布１２との間に挿入された保水層１３との積層構造を有しているので、親水布１１が頭部からの汗を面方向に拡散し、その汗を保水層１３に効率良く吸収することができる。そのため、炎天下等で帽子を被る際に上記インナーウエア１０を帽子４０の下に着用した場合、汗が吸収されて清涼感を得ることができる。また、帽子４０と接する部位には防水布１２が配置されているため汗を帽子４０に浸透させることはない。
【００３０】
上述した帽子用インナーウエア１０は、予め保水層１３に水分を滲み込ませた状態で使用することも可能である。この場合、保水層１３に蓄えられた水分が親水布１１を介して面方向に拡散し、より広い面積において効果的な冷却作用を発揮することができる。そのため、炎天下等で帽子を被る際に上記インナーウエア１０を帽子４０の下に着用した場合、水分の気化熱による冷却作用に基づいて清涼感を得ることができる。また、帽子４０と接する部位には防水布１２が配置されているため水分を帽子に浸透させることはない。
【００３１】
しかも、上述した帽子用インナーウエア１０は、帽子４０の下に着用することを前提とするものであって型崩れを気にする必要がないため、汚れた際には気軽に洗濯することができる。
【００３２】
図６〜図８は本発明の他の実施形態からなる帽子用インナーウエアを示すものである。図６〜８において、図１〜図３と実質的な同一物には同一符号を付してその部分の詳細な説明は省略する。
【００３３】
図６〜図８に示すように、本実施形態の帽子用インナーウエア５０は、人の頭部を覆うように縫製された布帛体１を備え、この布帛体１を帽子の内側に配置した状態で使用されるものである。布帛体１は、平面視でひょうたん形をなし、平板状に縫製されている。布帛体１は、前述の実施形態と同様に、頭部側に配置された親水布１１と、該親水布１１の外側（帽子側）に配置された防水布１２と、これら親水布１１と防水布１２との間に挿入された保水層１３との積層構造を有し、更に親水布１１よりも頭部側にメッシュ布１４を積層した構造を有している。
【００３４】
上記布帛体１には、該布帛体１を横切るように延長すると共に可撓性を有する係合部材２が付設され、その係合部材２の両端部が布帛体１の両側から突出している。本実施形態において、係合部材２は両端部に曲率を付与した弾性フィルム２３から構成されている。この弾性フィルム２３は防水布１２と保水層１３との間に積層され、布帛体１に対して縫い付けられている。
【００３５】
弾性フィルム２３の厚さは、０．５ｍｍ〜３．０ｍｍ、より好ましくは、１．０ｍｍ〜２．０ｍｍの範囲に設定すると良い。弾性フィルム２３の厚さを上記範囲に設定することにより、弾性フィルム２３に適切な弾性回復力を与えることができる。
【００３６】
弾性フィルム２３の材料としては、特に限定されるものではないが、ナイロン、ポリエチレン、ポリプロピレン等の弾性を有する合成樹脂を使用することができ、特にナイロンが最適である。これら合成樹脂材料は、弾性を有しながら軽量であるため帽子用インナーウエア１０の重量増加を最小限に抑えることができ、しかも腐食しないため帽子用インナーウエア１０をそのまま洗濯することができる。
【００３７】
更に、布帛体１にはその外縁に沿って弾性モノフィラメント３１からなる保形リング３が縫い込まれている。
【００３８】
上述した帽子用インナーウエア５０は、前述の実施形態と同様に、汗の吸収効果や水分による冷却効果を発揮することができ、しかも必要に応じて洗濯することができる。また、帽子用インナーウエア５０は、布帛体１を横切るように延長すると共に可撓性を有する弾性フィルム２３からなる係合部材２を布帛体１に付設し、その係合部材２の両端部を布帛体１の両側から突出させているので、その係合部材２を用いてインナーウエア５０を帽子に対して簡単に着脱することができる。
【００３９】
上述した実施形態からも明らかなように、布帛体１の平面視形状は特に限定されるものではなく、楕円形やひょうたん形のほか、円形や長方形等とすることも可能である。いずれの場合も、係合部材２の延長方向に沿って測定される布帛体１の最大幅Ｗは１３０ｍｍ〜２１０ｍｍの範囲に設定することが望ましい。これにより、汗の吸収効果や水分による冷却効果を十分に発揮することが可能になる。一方、係合部材２の長さＬは布帛体１の最大幅Ｗに対して１．４×Ｗ≦Ｌ≦２．０×Ｗの関係を満足することが望ましい。これにより、布帛体１を頭部の適切な位置に配置しながら、その布帛体１を帽子に対して係合させることが可能になる。
【００４０】
上述した実施形態はいずれも主として夏場に使用されるものであるが、これらを冬場に使用した場合は防寒具としても機能する。勿論、布帛体１の素材として、フリース等の保温性に優れた素材を使用した場合、防寒具としての機能を高めることが可能である。
【００４１】
また、上述した実施形態では帽子が野球帽である場合について説明したが、本発明に係る帽子用インナーウエアは各種の帽子（特に、帽子本体の縁部内側に帯状のすべりを備えた帽子）に装着して使用することが可能である。
【符号の説明】
【００４２】
１  布帛体
２  係合部材
３  保形リング
１０，５０  帽子用インナーウエア
１１  親水布
１２  防水布
１３  保水層
１４  メッシュ布
２１  弾性モノフィラメント（係合部材）
２２  チューブ
２３  弾性フィルム（係合部材）
３１  弾性モノフィラメント（保形リング）
４０  帽子
４１  帽子本体
４２  鍔部
４３  すべり
【図１】
2014114518.tif 000003
【図２】
2014114518.tif 000004
【図３】
2014114518.tif 000005
【図４】
2014114518.tif 000006
【図５】
2014114518.tif 000007
【図６】
2014114518.tif 000008
【図７】
2014114518.tif 000009
【図８】
2014114518.tif 000010